(57)【要約】【課題】本発明は、線条を確実に把持することができる線条把持具およびこの線条把持具を用いて電柱の内部に配線された線条を確実に把持し、電柱の外部へ取り出すことができる中空構造物からの線条取出方法を提供することを目的とするものである。【解決手段】本発明の線条把持具１は、基体２と、この基体２の長手方向に沿って摺動可能に構成された可動ノブ４と、基体２の端部にその一端が連結されると共に、この可動ノブ４にその他端が連結された第１の可撓性線材３Ａ及び第２の可撓性線材３Ｂとを備える。【選択図】図１
2011087363.tif 000002
【特許請求の範囲】
【請求項１】
基体と、
該基体の長手方向に沿って摺動可能に構成された可動ノブと、
前記基体の端部にその一端が連結されると共に、前記可動ノブにその他端が連結された可撓性線材とを備える
線条把持具。
【請求項２】
前記基体の端部と前記可撓性線材の一端とが回動可能に連結された
請求項１に記載の線条把持具。
【請求項３】
前記可動ノブに連結されると共に、前記可撓性線材に外挿された外挿部材を備える
請求項１または請求項２に記載の線条把持具。
【請求項４】
前記基体と前記可動ノブとを固定する固定手段を備える
請求項１、請求項２、請求項３または請求項４に記載の線条把持具。
【請求項５】
基体と、
該基体の長手方向に沿って摺動可能に構成された可動ノブと、
前記基体の端部にその一端が連結され、前記可動ノブにその他端が連結された第１の可撓性線材と、
前記基体の端部にその一端が連結され、前記可動ノブにその他端が連結されると共に、前記基体を挟んで前記第１の可撓性線材の略反対側に配置された第２の可撓性線材とを備える
線条把持具。
【請求項６】
基体と、該基体の長手方向に沿って摺動可能に構成された可動ノブと、前記基体の端部にその一端が連結されると共に、前記可動ノブにその他端が連結された可撓性線材とを有する線条把持具を所定の孔部から中空構造物内に挿入する工程と、
前記可動ノブを、前記基体の可撓性線材と連結された端部側に摺動して前記基体と前記可撓性線材との間に所定の間隙を形成する工程と、
前記所定の間隙に線条を位置せしめる工程と、
前記可動ノブを、前記基体の可撓性線材と連結された端部とは反対側に摺動する工程と、
前記線条把持具を前記中空構造物の孔部から取り出す工程とを備える
中空構造物からの線条取出方法。
【発明の詳細な説明】
【技術分野】
【０００１】
本発明は、線条把持具及び中空構造物からの線条取出方法に関する。詳しくは、例えば、電柱等の中空構造物内に配線する線条を外部へ取り出すための線条把持具及びこうした線条把持具を用いて行う中空構造物からの線条取出方法に係るものである。
【背景技術】
【０００２】
従来より、電柱の接地線の引下げ構造として、例えば、特許文献１に記載されたものが知られている。具体的には、図９に示すように、接地線１０３が電柱１０１の柱上機器１０２から電柱１０１表面を沿わせて地表近傍まで引き下ろされると共に電柱表面に沿う地表直下に埋設された接続箱１０４に接続され、この接続箱１０４下部には接地棒１０５が接続された構成を有する電柱の接地線の引下げ構造が知られている。なお、接地線１０３は、スチールバンド１０６によって電柱１０１表面に固定されている。
【０００３】
ここで、特許文献１における接地線の引下げ構造では、接地線やスチールバンドが露出しているために、風雨や紫外線の影響で劣化が激しく、接地線の絶縁が破れることによる感電の恐れや、スチールバンドの腐食や色落ちにより美観を損なうなどの問題がある。
【０００４】
ところで、近年では、従来の木柱に代わってコンクリート柱や鋼管柱による電柱等が使用されているために、電柱の内部に接地線を引き下げることも可能である。
【先行技術文献】
【特許文献】
【０００５】
【特許文献１】特開平８−３０６４０５号公報
【発明の概要】
【発明が解決しようとする課題】
【０００６】
しかしながら、電柱の内部に接地線を引き下げようとすると、地表近くの電柱に接地線を取り出す開口部を設け、この開口部から接地線を外部に取出す必要がある。
【０００７】
ここで、電柱建設時に接地線を配線する場合には、予め電柱内に配線されて開口部から外部に取出された接地線によって接地を行うことができるが、電柱建設後に接地線を開口部から取出す作業は極めて困難である。
【０００８】
本発明は、以上の点に鑑みて創案されたものであって、線条を確実に把持することができる線条把持具及びこうした線条把持具を用いて行う中空構造物からの線条取出方法を提供することを目的とするものである。
【課題を解決するための手段】
【０００９】
上記の目的を達成するために、本発明に係る線条把持具は、基体と、該基体の長手方向に沿って摺動可能に構成された可動ノブと、前記基体の端部にその一端が連結されると共に、前記可動ノブにその他端が連結された可撓性線材とを備える。
【００１０】
ここで、可動ノブを基体の一端（可撓性線材と連結されている端部）側へ摺動させることにより可撓性線材が曲げられて基体と可撓性線材との間に空隙部が形成されることとなる。そして、この空隙部内に線条を挿通させた後に可動ノブを他端（可撓性線材と連結されている端部とは反対の端部）側に摺動させることにより線条を基体と可撓性線材との間で把持することが可能となる。
【００１１】
また、基体の端部と可撓性線材の一端とが回動可能に連結されることによって、可動ノブを基体の一端（可撓性線材と連結されている端部）側へ摺動させる際に、可撓性線材がスムーズに動くことが可能となる。
【００１２】
また、可動ノブに連結されると共に、可撓性線材に外挿された外挿部材を備えることによって、中空構造物内に基体のみを差し込む際に、可動ノブと可撓性線材との連結部分からの可撓性線材の曲げを防止することができる。具体的には、外挿部材により外挿された部分とされていない部分の境界部分から可撓性線材に曲げが生じる様にすることができる。
【００１３】
また、基体と可動ノブとを固定する固定手段を備えることによって、可撓性線材が中空構造物内で曲がった状態を維持することが可能となる。
【００１４】
また、上記の目的を達成するために、本発明に係る線条把持具は、基体と、該基体の長手方向に沿って摺動可能に構成された可動ノブと、前記基体の端部にその一端が連結され、前記可動ノブにその他端が連結された第１の可撓性線材と、前記基体の端部にその一端が連結され、前記可動ノブにその他端が連結されると共に、前記基体を挟んで前記第１の可撓性線材の略反対側に配置された第２の可撓性線材とを備える。
【００１５】
ここで、基体を挟んで第１の可撓性線材及び第２の可撓性線材が配置されることによって、基体の両側に線条を捕捉するための空隙部が形成されることとなり、線条をより確実に把持することが可能となる。
【００１６】
また、上記の目的を達成するために、本発明に係る中空構造物からの線条取出方法は、基体と、該基体の長手方向に沿って摺動可能に構成された可動ノブと、前記基体の端部にその一端が連結されると共に、前記可動ノブにその他端が連結された可撓性線材とを有する線条把持具を所定の孔部から中空構造物内に挿入する工程と、前記可動ノブを、前記基体の可撓性線材と連結された端部側に摺動して前記基体と前記可撓性線材との間に所定の間隙を形成する工程と、前記所定の間隙に線条を位置せしめる工程と、前記可動ノブを、前記基体の可撓性線材と連結された端部とは反対側に摺動する工程と、前記線条把持具を前記中空構造物の孔部から取り出す工程とを備える。
【００１７】
ここで、線条を取り出すために中空構造物の外周壁に開口される孔部に、線条把持具を挿入し、可動ノブを基体の一端（可撓性線材と連結されている端部）側へ摺動することによって、中空構造物内で可撓性線材が中空構造物の内周面に沿って曲げられ、基体と可撓性線材との間に空隙部が形成される。そして、この空隙部内に線条を挿通させた後に可動ノブを他端（可撓性線材と連結されている端部とは反対の端部）側に摺動することによって、線条を基体と可撓性線材との間で把持することができ、こうした状態で線条把持具を中空構造物の孔部より抜き取ることによって線条の取り出しが可能となる。
【発明の効果】
【００１８】
本発明の線条把持具では、可動ノブを基体の一端（可撓性線材と連結されている端部）側に摺動させることによって基体と可撓性線材との間に空隙部が形成され、この空隙部内に線条を挿通し、可動ノブを基体の他端（可撓性線材と連結されている端部とは反対の端部）側に摺動させることにより容易に線条を把持することが可能となる。
【００１９】
また、本発明の線条把持具では、第１の可撓性線材と、基体を挟んで第１の可撓性線材の略反対側に配置された第２の可撓性線材を備えることにより、中空構造物内における線条の捕捉を確実に行うことが可能となる。
【００２０】
また、本発明の中空構造物からの線条取出方法では、電柱等の中空構造物に開口した線条を取り出すための孔部より線条把持部を中空構造物内に差し込み、中空構造物内に落とし込まれた線条を捕捉把持した後に、線条把持部を中空構造物内より抜き取ることによって線条の取り出しを極めて容易に行うことが可能となる。
【図面の簡単な説明】
【００２１】
【図１】本発明を適用した線条把持具の一例を示す側面説明図である。
【図２】本発明を適用した線条把持具の一例を示す平面説明図である。
【図３】本発明を適用した線条把持具の一例の各要部を示す拡大断面説明図である。
【図４】本発明を適用した線条把持具における可動ノブの固定手段の一例を示す説明図である。
【図５】本発明の適用した線条把持具を中空構造物内に差し込んだ状態を示す説明図である。
【図６】本発明の適用した線条把持具の可動ノブを押し込んだ状態を示す説明図である。
【図７】本発明の適用した線条把持具による線条の落とし込み状態を示す説明図である。
【図８】本発明の適用した線条把持具による線条の取り出し状態を示す説明図である。
【図９】電柱等における接地線の取り付けの一例を示す説明図である。
【発明を実施するための形態】
【００２２】
以下、本発明の実施の形態を図面を参酌しながら説明し、本発明の理解に供する。
図１は本発明を適用した線条把持具の一例を示す側面説明図、図２は本発明を適用した線条把持具の一例を示す平面説明図、図３は（図３（イ）は図１Ａ−Ａ線における拡大断面説明図、図３（ロ）は図１Ｂ−Ｂ線における拡大断面説明図、図３（ハ）は図１Ｃ−Ｃ線における拡大断面説明図、図３（ニ）は図１Ｄ−Ｄ線における拡大説明図）本発明を適用した線条把持具の各要部の拡大説明図である。
【００２３】
本実施の形態の線条把持具１は、所定長さの基体２と、第１の可撓性線材３Ａと、第２の可撓性線材３Ｂと、可動ノブ４と、外挿部材５とから構成されている。
【００２４】
ここで、基体２は、電柱等の中空構造物（図示せず）の内径以上の長さに構成されている。また、その断面が平行状に配置された上端片６と下端片７との中間に垂直状に配置される仕切り片８によって、その両側長手方向に沿って凹状の可撓性線材収納部９が形成されている。更に、可撓性線材収納部９の端部にはピン１０が上下方向に貫設されている。
【００２５】
第１の可撓性線材３Ａ及び第２の可撓性線材３Ｂは、基体２の端部にその先端が連結枢支されると共に、基体２を挟んだ状態で互いに逆側に配置されている。具体的には、第１の可撓性線材３Ａ及び第２の可撓性線材３Ｂは、ワイヤ等の弾力性線材により形成され、その一端にリング１１が圧着、あるいは溶接等によって取り付けられている。なお、リング１１に可撓性線材収納部９のピン１０が挿入されることによって第１の可撓性線材３Ａ及び第２の可撓性線材３Ｂの一端は回動自在な状態で基体２の端部に連結されることとなる。
【００２６】
可動ノブ４は、第１の可撓性線材３Ａ及び第２の可撓性線材３Ｂの基端に連結されると共に、基体２の長手方向に摺動自在に構成されている。なお、可動ノブ４は、基体２の上端片６を囲堯した状態で可撓性線材収納部９に嵌め合わされた構成とすることによって基体２の長手方向に沿って摺動可能な構成とされている。
【００２７】
そして、第１の可撓性線材３Ａ及び第２の可撓性線材３Ｂの他端が可動ノブ４に固着されており、可動ノブ４を基体２の端部（第１の可撓性線材３Ａ及び第２の可撓性線材３Ｂが連結枢支された端部）側へ摺動させることにより第１の可撓性線材３Ａ及び第２の可撓性線材３Ｂが基体２の両側方向に曲げられることとなって、第１の可撓性線材３Ａ及び第２の可撓性線材３Ｂと基体２との間に隙間が形成されることとなる。一方、可動ノブ４を基体２の端部（第１の可撓性線材３Ａ及び第２の可撓性線材３Ｂが連結枢支された端部）とは逆側へ摺動させることにより第１の可撓性線材３Ａ及び第２の可撓性線材３Ｂは基体２の端部両側の可撓性線材収納部９内に収納されることとなる。
【００２８】
外層部材５は、可動ノブ４に一端が固着されると共に、第１の可撓性線材３Ａ及び第２の可撓性線材に外挿されている。具体的には、伸縮性のあるスプリング等によって形成され、その基端が可動ノブ４に固着された構成とされている。
また、外挿部材５は、電柱等の中空構造物に開口された取り出し孔（図示せず。）の開口端に係留する。
【００２９】
また、図４は本発明を適用した線条把持具の可動ノブの固定手段の一例の説明図を示すものであり、基体２の上端片６と可動ノブ４との隙間にくさび１２を差し込むことによって任意の位置に係止できる構成とされている。
【００３０】
なお、本実施例では可動ノブ４の固定手段としてくさび１２による係止機構を例示するが、必ずしもくさびによる係止機構とする必要性は無く、可動ノブを所定位置で基体に固定することができる係止機構であればいかなる機構であっても構わない。
【００３１】
また、可撓性線材は必ずしもワイヤ等による線材である必要性はなく、例えば、弾力性を有する合成樹脂線材や硬質性ゴム線材など、線条を基体との間で挟んで引き出すことに耐える素材であればいかなる線材であっても構わない。
【００３２】
更に、外挿部材５は、必ずしもスプリングによって形成される必要性はなく、例えば、ジャバラ式のように収縮のみの筒体であっても構わない。
【００３３】
以上の構成よりなる線条把持具では、可動ノブ４を基体２の端部（第１の可撓性線材３Ａ及び第２の可撓性線材３Ｂが連結枢支された端部）側へ摺動させることにより、外挿部材５から露出する第１の可撓性線材３Ａ及び第２の可撓性線材３Ｂが基体２の両側方向へ拡がるような状態で曲げられ、基体２と第１の可撓性線材３Ａ及び第２の可撓性線材３Ｂとの間に線条（図示せず）を捕捉するための間隙が形成されることとなる。
【００３４】
そして、基体２と第１の可撓性線材３Ａ及び第２の可撓性線材３Ｂとの間のいずれかの間隙に線条を通し、続いて、可動ノブ４を基体２の端部（第１の可撓性線材３Ａ及び第２の可撓性線材３Ｂが連結枢支された端部）と逆側へ摺動させることにより線条を容易に把持することが可能となる。
【００３５】
以下、上記した線条把持具を用いて行う中空構造物からの線条取出方法を説明する。即ち、本発明を適用した中空構造物からの線条取出方法の一例について説明を行う。
【００３６】
本発明を適用した中空構造物からの線条取出方法の一例では、先ず、図５（図５（イ）は本発明の適用した線条把持具を中空構造物内に差し込んだ状態の側面断面説明図、図５（ロ）は本発明の適用した線条把持具を中空構造物内に差し込んだ状態の平面断面説明図を示す。）に示すように、内部が中空状とされた電柱等の中空構造物１３の下部に開口された取り出し孔１４から線条把持具１の基体２を挿入する。
【００３７】
より詳細には、線条把持具１の端部が中空構造物１３の内径中心を通して対向する中空構造物１３の内面に当接するまで挿入する。なお、基体２に外挿された外挿部材５の開口端は取り出し孔１４の開口端で係留することとなる。
【００３８】
線条把持具１の端部が中空構造物１３の内面に当接した後も、図６（図６（イ）は本発明の適用した線条把持具の可動ノブを押し込んだ状態の側面断面説明図、図６（ロ）は本発明の適用した線条把持具の可動ノブを押し込んだ状態の平面断面説明図を示す。）に示すように、引き続いて、基体２の端部（第１の可撓性線材３Ａ及び第２の可撓性線材３Ｂが連結枢支された端部）側に可動ノブ４を摺動する。
なお、この場合には、外挿部材５の付勢力に抗して外挿部材５を収縮させながら、可動ノブ４を摺動する（押し込む）こととなる。
【００３９】
ところで、可動ノブ４が基体２の端部（第１の可撓性線材３Ａ及び第２の可撓性線材３Ｂが連結枢支された端部）側へ押し込まれることによって、基体２の両側に沿って収納された第１の可撓性線材３Ａ及び第２の可撓性線材３Ｂが中空構造物１３内で基体２の両側方向へ湾曲状に押し広げられることとなる。
【００４０】
続いて、こうした状態（可動ノブ４を押し込んだ状態）で、可動ノブ４をくさび１２によって基体２に係止する。
【００４１】
これによって中空構造物１３内が基体２によって２分割に仕切られた状態で、基体２と第１の可撓性線材３Ａ及び第２の可撓性線材３Ｂとの間に線条を捕捉することができる捕捉空間Ａ、Ａ'を形成することができる。
【００４２】
続いて、図７（図７（イ）は本発明の適用した線条把持具による線条の落とし込み状態の側面断面説明図、図７（ロ）は本発明の適用した線条把持具による線条の落とし込み状態の平面断面説明図及び模式的斜視図を示す。）に示すように、中空構造物１３の上部より接地線等の線条１５を落とし込む。具体的には、線条１５の先端が基体２と第１の可撓性線材３Ａ、あるいは第２の可撓性線材３Ｂとの間に形成される捕捉空間Ａ、Ａ'のいずれかを通過する様に線条１５を落とし込む。
【００４３】
次に、くさび１２を基体２と可動ノブ４との隙間から外し、可動ノブ４を基体２の端部（第１の可撓性線材３Ａ及び第２の可撓性線材３Ｂが連結枢支された端部）とは逆側に摺動する。
【００４４】
ここで、可動ノブ４を基体２の端部（第１の可撓性線材３Ａ及び第２の可撓性線材３Ｂが連結枢支された端部）とは逆側に摺動することによって、第１の可撓性線材３Ａ及び第２の可撓性線材３Ｂは引き戻されることとなる。そのため、基体２と第１の可撓性線材３Ａ及び第２の可撓性線材３Ｂとの間に形成される捕捉空間Ａ、Ａ'が収縮し、線条１５が基体２と第１の可撓性線材３Ａあるいは、第２の可撓性線材３Ｂとによって挟持されることとなる。
【００４５】
その後、図８（図８（イ）は本発明の適用した線条把持具による線条の取り出し状態の側面断面説明図、図８（ロ）は本発明の適用した線条把持具による線条の取り出し状態の平面断面説明図及び模式的斜視図を示す。）に示すように、線条１３が基体２と第１の可撓性線材３Ａあるいは、第２の可撓性線材３Ｂとにより挟持された状態で線条把持具１を取り出し孔１４より抜き取ることによって、中空構造物１３の取り出し孔１４より線条１５を取り出すことが可能となる。
【００４６】
なお、本実施例では基体２の両側に第１の可撓性線材３Ａ及び第２の可撓性線材３Ｂを配置した構成の線条把持具による線条の取り出し方法を詳述するものであるが、必ずしも基体２の両側に可撓性線材を配置する必要性はなく、片方のみ可撓性線材が配置された構成の線条把持具であっても構わない。
【００４７】
また、本実施例では可動ノブ４をくさび１２によって基体２に固定させて線条１５を落とし込むことを詳述するものであるが、必ずしも可動ノブの固定を必要とするものではなく、例えば２人による作業であれば１人が線条把持具を取り扱う作業に専念し、他の者が線条を中空構造物内に落とし込む作業に専念することにより可動ノブの固定手段を設けなくとも構わない。
【符号の説明】
【００４８】
１        線条把持具
２        基体
３Ａ      第１の可撓性線材
３Ｂ      第２の可撓性線材
４        可動ノブ
５        外挿部材
６        上端片
７        下端片
８        仕切り片
９        可撓性線材収納部
１０      ピン
１１      リング
１２      くさび
１３      中空構造物
１４      取り出し孔
１５      線条
【図１】
2011087363.tif 000003
【図２】
2011087363.tif 000004
【図３】
2011087363.tif 000005
【図４】
2011087363.tif 000006
【図５】
2011087363.tif 000007
【図６】
2011087363.tif 000008
【図７】
2011087363.tif 000009
【図８】
2011087363.tif 000010
【図９】
2011087363.tif 000011